(57)【要約】  本願において、フレキシブルタッチスクリーンが開示される。前記フレキシブルタッチスクリーンは、互いに交差して分布するタッチ電極及び検出電極を含む折り畳み不可能な第１の領域と、互いに平行に分布するタッチ電極及び検出電極を含み、前記第１の領域に隣接する折り畳み可能な第２の領域とを含む。本願において、フレキシブルディスプレイスクリーン、表示デバイス、フレキシブルディスプレイスクリーンに用いられる表示方法及びフレキシブルタッチスクリーンを製造するための方法は更に開示される。
2020514846.tif 000002
【特許請求の範囲】
【請求項１】
互いに交差して分布するタッチ電極及び検出電極を含む折り畳み不可能な第１の領域と、
互いに平行に分布するタッチ電極及び検出電極を含み、前記第１の領域に隣接する折り畳み可能な第２の領域とを含む、フレキシブルタッチスクリーン。
【請求項２】
前記第２の領域は前記フレキシブルタッチスクリーンの折り畳み可能な領域に位置する、請求項１に記載のフレキシブルタッチスクリーン。
【請求項３】
前記第１の領域は前記フレキシブルタッチスクリーンの２つの側部領域に位置し、且つ、前記第２の領域は前記フレキシブルタッチスクリーンの中央領域に位置する、請求項２に記載のフレキシブルタッチスクリーン。
【請求項４】
前記第１の領域は二層の導電膜、又はブリッジ構造を有する単層の導電膜を含み、且つ、前記第２の領域は単層の導電膜を含む、請求項１に記載のフレキシブルタッチスクリーン。
【請求項５】
前記第１の領域におけるタッチ電極及び検出電極は互いに垂直に分布する、請求項１に記載のフレキシブルタッチスクリーン。
【請求項６】
前記第２の領域におけるタッチ電極及び検出電極の伸び方向は前記フレキシブルタッチスクリーンの折り畳み可能な領域の曲げ軸に平行する、請求項５に記載のフレキシブルタッチスクリーン。
【請求項７】
タッチ電極或いは検出電極の材料はインジウムスズ酸化物、銀ナノワイヤ、金属、カーボンナノチューブ及びグラフェンのうちの一種又はそれらの組み合わせである、請求項１に記載のフレキシブルタッチスクリーン。
【請求項８】
請求項１〜７の何れか一項に記載のフレキシブルタッチスクリーンを含む、フレキシブルディスプレイスクリーン。
【請求項９】
中央部分に設けられて、互いに平行に分布するタッチ電極及び検出電極を含む折り畳み可能な領域と両側に設けられる折り畳み不可能な領域とを含むフレキシブルディスプレイスクリーンに用いられる表示方法であって、
フレキシブルディスプレイスクリーンが曲がっていない場合、前記フレキシブルディスプレイスクリーンは全画面で表示することと、
フレキシブルディスプレイスクリーンが曲がっている場合、両側に設けられた折り畳み不可能な領域の中の少なくとも１つは表示しないことを含む、表示方法。
【請求項１０】
フレキシブルディスプレイスクリーンが曲がっている場合、両側に設けられた折り畳み不可能な領域の中の１つは表示せず、両側に設けられた折り畳み不可能な領域の中のもう一つ及び中央部分に設けられる折り畳み可能な領域の表示は保持され、且つ、
全画面表示時の全ての表示内容は前記フレキシブルディスプレイスクリーンの表示の保持される部分に改めてマッピングされる、請求項９に記載の表示方法。
【請求項１１】
フレキシブルディスプレイスクリーンが曲がっている場合、両側に設けられた折り畳み不可能な領域は表示せず、中央部分に設けられる折り畳み可能な領域の表示は保持される、請求項９に記載の表示方法。
【請求項１２】
前記折り畳み可能な領域には時間又はカスタマイズされた情報が表示される、請求項１１に記載の表示方法。
【請求項１３】
請求項８に記載のフレキシブルディスプレイスクリーンを含む表示デバイス。
【請求項１４】
互いに交差して分布するタッチ電極及び検出電極を含む折り畳み不可能な第１の領域を作成し、
互いに平行に分布するタッチ電極及び検出電極を含み、前記第１の領域に隣接する折り畳み可能な第２の領域を作成するステップを含む、フレキシブルタッチスクリーンを製造するための方法。
【請求項１５】
第１の領域を作成するステップは、前記第１の領域におけるタッチ電極及び検出電極を互いに直交させるように配置することを含む、請求項１４に記載の方法。
【発明の詳細な説明】
【技術分野】
【０００１】
（関連出願の相互参照）
本願は２０１６年１２月２９日に出願された出願番号が２０１６１１２４６０２１．７である中国特許出願の優先権を主張するものであり、上記の中国特許出願に開示された内容を引用して本願の一部とする。
【０００２】
本願は表示分野に関し、特に、フレキシブルタッチスクリーン及び製造方法、フレキシブルディスプレイスクリーン及びその表示方法、並びに前記フレキシブルディスプレイスクリーンを含む表示デバイスに関する。
【背景技術】
【０００３】
フレキシブルディスプレイは近年では益々人気のある技術方向であり、例えば、電子ペーパー、有機発光ダイオード（ＯＬＥＤ）及び反射型液晶は何れもフレキシブルディスプレイを実現するために用いられる。特に、アクティブマトリクス有機発光ダイオード（ＡＭＯＬＥＤ）は、薄型でフレキシブルなデバイスの製造に役立つだけでなく、自主的な発光、優れた表示効果、高コントラストの利点を備えるので、フレキシブル表示技術において最も将来性を持つ。フレキシブル表示技術の発展に伴い、フレキシブルＡＭＯＬＥＤの屈曲可能な半径は益々小さくなっていき、最近、折り畳み可能なフレキシブル表示は既に実現された。
【０００４】
フレキシブルディスプレイスクリーンは多層積層構造を有するので、最も小さな応力のために、最も重要なデバイス（ＴＦＴ、ＯＬＥＤ等）は、積層構造の中間層に配置される必要がある。タッチスクリーンはディスプレイスクリーンの上に設けられる場合、タッチスクリーンは中間層から遠いので、タッチスクリーンを作るための材料に対する要求はより高くなる。従来技術におけるタッチスクリーンは一般的にＩＴＯ、金属、無機絶縁層等の様な材料を用いる。これらの材料は曲げに耐えられないので、これらの材料を含むタッチスクリーンは、曲げのときに容易に損傷される。
【発明の概要】
【発明が解決しようとする課題】
【０００５】
タッチスクリーンが曲げのときに容易に損傷される課題を解消するために、本願では新型のフレキシブルディスプレイスクリーンを提供する。ディスプレイスクリーンを仕切ることにより、ディスプレイスクリーンの開き及び折り畳みの場合に、夫々異なった表示モードが用いられて間違った操作が避けられるだけではなく、ディスプレイスクリーンの中のタッチスクリーンが曲がったときに破損されていない。
【課題を解決するための手段】
【０００６】
本願発明の一つの様態に基づき、フレキシブルタッチスクリーンが提出される。前記フレキシブルタッチスクリーンは、互いに交差して分布するタッチ電極及び検出電極を含む折り畳み不可能な第１の領域と、互いに平行に分布するタッチ電極及び検出電極を含み、前記第１の領域に隣接する折り畳み可能な第２の領域とを含む。
【０００７】
一つの実施例に基づき、前記第２の領域は前記フレキシブルタッチスクリーンの折り畳み可能な領域に位置してもよい。
【０００８】
一つの実施例に基づき、前記第１の領域は前記フレキシブルタッチスクリーンの２つの側部領域に位置し、且つ、前記第２の領域は前記フレキシブルタッチスクリーンの中央領域に位置してもよい。
【０００９】
一つの実施例に基づき、前記第１の領域は二層の導電膜、又はブリッジ構造を有する単層の導電膜を含み、且つ、前記第２の領域は単層の導電膜を含む。
【００１０】
一つの実施例に基づき、前記第１の領域におけるタッチ電極及び検出電極は互いに垂直に分布してもよい。
【００１１】
一つの実施例に基づき、前記第２の領域におけるタッチ電極及び検出電極の伸び方向はフレキシブルタッチスクリーンの折り畳み可能な領域の曲げ軸に平行してもよい。
【００１２】
一つの実施例に基づき、タッチ電極或いは検出電極の材料はインジウムスズ酸化物、銀ナノワイヤ、金属、カーボンナノチューブ、グラフェンのうちの一種又はそれらの組み合わせである。
【００１３】
本願発明に基づくフレキシブルタッチスクリーンにおいて、第２の領域に互いに平行に分布するタッチ電極及び検出電極が含まれるので、本願発明に基づくフレキシブルタッチスクリーンは曲がった時に容易に損傷されない。
【００１４】
本願発明のもう一つの様態に基づき、前記の何れかの実施例に記載のフレキシブルタッチスクリーンを含むフレキシブルディスプレイスクリーンが提供される。
【００１５】
本願発明のもう一つの様態に基づき、前記実施例に記載のフレキシブルディスプレイスクリーンに用いられる表示方法が提出される。その中に、前記フレキシブルディスプレイスクリーンは中央部分に設けられる折り畳み可能な領域及び両側に設けられる折り畳み不可能な領域を含み、且つ、前記折り畳み可能な領域は互いに平行に分布するタッチ電極及び検出電極を含む。前記表示方法は以下に記載の事項を含み、即ち、フレキシブルディスプレイスクリーンが曲がっていない場合、フレキシブルディスプレイスクリーンは全画面で表示して、フレキシブルディスプレイスクリーンが曲がっている場合、両側に設けられた折り畳み不可能な領域の中の少なくとも１つは表示しない。
【００１６】
一つの実施例に基づき、フレキシブルディスプレイスクリーンが曲がっている場合、両側に設けられた折り畳み不可能な領域の中の１つは表示せず、両側に設けられた折り畳み不可能な領域の中のもう一つ及び中央部分に設けられる折り畳み可能な領域の表示は保持され、且つ、全画面表示時の全ての表示内容は前記フレキシブルディスプレイスクリーンの表示の保持される部分に改めてマッピングされる。
【００１７】
一つの実施例に基づき、フレキシブルディスプレイスクリーンが曲がっている場合、両側に設けられた折り畳み不可能な領域は表示せず、中央部分に設けられる折り畳み可能な領域の表示は保持される。
【００１８】
一つの実施例に基づき、折り畳み可能な領域には時間又はカスタマイズされた情報が表示する。
【００１９】
本願発明に基づくフレキシブルディスプレイスクリーンは折り畳み可能な領域及び折り畳み不可能な領域に分けられ、且つ、折り畳み可能な領域は互いに平行に分布するタッチ電極及び検出電極を含む。従って、本願発明に基づくフレキシブルディスプレイスクリーンは折り畳まれる場合、折り畳み可能な領域が損傷される状況は現れ易くない。且つ、本願発明のフレキシブルディスプレイスクリーンが曲がっている場合、両側に設けられた折り畳み不可能な領域の中の少なくとも１つは表示しないので、電力は更に節約される。
【００２０】
本願発明のもう一つの様態に基づき、前記の何れかの実施例に記載のフレキシブルディスプレイスクリーンを含む表示デバイスが提供される。
【００２１】
本願発明のもう一つの様態に基づき、フレキシブルタッチスクリーンを製造するための方法が提出されて、前記方法は以下のステップを含み、即ち、互いに交差して分布するタッチ電極及び検出電極を含む折り畳み不可能な第１の領域を作成し、互いに平行に分布するタッチ電極及び検出電極を含み、前記第１の領域に隣接する折り畳み可能な第２の領域を作成する。
【００２２】
一つの実施例に基づき、前記第１の領域を作成するステップは、前記第１の領域におけるタッチ電極及び検出電極を互いに垂直させるように配置することを含んでもよい。
【００２３】
一つの実施例に基づき、前記第２の領域を作成するステップは、それらの伸び方向を前記フレキシブルタッチスクリーンの折り畳み可能な領域の曲げ軸に平行させる様に前記第２の領域におけるタッチ電極及び検出電極を配置することを含んでもよい。
【００２４】
一つの実施例に基づき、前記第１の領域を作成するステップは、前記第１の領域を前記フレキシブルタッチスクリーンの２つの側部領域に形成することを含んでもよい、且つ、前記第２の領域を作成するステップは、前記第２の領域を前記フレキシブルタッチスクリーンの中央領域に形成することを含んでもよい。
【００２５】
一つの実施例に基づき、前記第１の領域は二層の導電膜、又はブリッジ構造を有する単層の導電膜を含み、且つ、前記第２の領域は単層の導電膜を含む。
【図面の簡単な説明】
【００２６】
【図１】ディスプレイスクリーンの積層構造を概要的に示す。
【図２】本願の一つの実施例に基づくフレキシブルディスプレイスクリーンの構造を概要的に示す。
【図３】本願の一つの実施例に基づくフレキシブルタッチスクリーンの第１の領域の構造を概要的に示す。
【図４】本願の一つの実施例に基づくフレキシブルタッチスクリーンの第２の領域の構造を概要的に示す。
【図５】本願の一つの実施例に基づく折り畳み状態にあるフレキシブルディスプレイスクリーンの断面図を概要的に示す。
【図６】本願の一つの実施例に基づくフレキシブルタッチスクリーンの構造を概要的に示す。
【図７】本願の一つの実施例に基づくフレキシブルディスプレイスクリーンが曲がっている時の作業状態を概要的に示す。
【発明を実施するための形態】
【００２７】
下記では、図面を参照して本願の各例示的な実施例を詳しく記載する。これらの実施例を提供するのは本願発明の構想を前記実施例に限定するためではなく、本願発明を徹底的、完全的なものにするためであるだけではなく、本願発明の構造の範囲を当業者に完全的に伝えるためである。明瞭のために、図面において、素子の形状及び寸法を誇張して示している場合がある。
【００２８】
記載の便利さのために、本文において、例えば、「…の下」、「…の上」、「…の左側」及び「…の右側」等の様な空間的に相対的な用語を用いて図面に示される１つの素子或いは特徴ともう１つ（幾らか）の素子或いは特徴との関係を記載してもよい。理解すべきである通り、空間的に相対的な用語とは、使用中又は操作中の装置の図面に示された向き以外の異なる向きを含むように意図する。例えば、図面の中の装置が上下逆さまになっている場合、「他の要素又は特徴の下」と記載された要素は、「他の要素又は特徴の上に」配向される。
【００２９】
また、本願の各実施例において、例えば、「第１」及び「第２」の様な用語を用いて複数の構成要素、コンポーネント、領域、層及び／又は部分を記載したとしても、これらの構成要素、コンポーネント、領域、層及び／又は部分はこれらの用語によって限定されるべきではない。これらの用語は、ある構成要素、コンポーネント、領域、層、又は部分を他の構成要素、コンポーネント、領域、層又は部分と区別するためにのみ使用される。従って、実施例における第１の構成要素、第１のコンポーネント、第１の領域、第１の層、又は第１の部分と呼ばれる構成要素、コンポーネント、領域、層又は部分は、本願発明の思想から離れない限り、第２の構成要素、第２のコンポーネント、第２の領域、第２の層、又は第２の部分と呼ばれてもよい。
【００３０】
本願において、フレキシブルタッチスクリーンが提出される。前記フレキシブルタッチスクリーンは、互いに交差して分布するタッチ電極及び検出電極を含む折り畳み不可能な第１の領域と、互いに平行に分布するタッチ電極及び検出電極を含み、前記第１の領域に隣接する折り畳み可能な第２の領域とを含む。
【００３１】
タッチ電極は複数の第１の電極を含み、且つ、同一のタッチ電極に位置して隣接する第１の電極の間には第１の導電性コネクタが存在してもよい。同じく、検出電極は複数の第２の電極を含み、且つ、同一の検出電極に位置して隣接する第２の電極の間には第２の導電性コネクタが存在してもよい。当業者は如何にしてタッチ電極及び検出電極を形成するのか理解できるので、ここで繰り返さないことにする。
【００３２】
本願発明に基づくフレキシブルタッチスクリーンにおいて、第２の領域には互いに平行に分布するタッチ電極及び検出電極は含まれるので、本願発明に基づくフレキシブルタッチスクリーンは曲がる場合に容易に損傷されない。
【００３３】
本願において、本願発明に基づくフレキシブルタッチスクリーンが含まれるフレキシブルディスプレイスクリーンは更に提出される。
【００３４】
本願において、本願発明に基づくフレキシブルディスプレイスクリーンに用いられる表示方法が提出される。その中に、前記フレキシブルディスプレイスクリーンは中央部分に設けられる折り畳み可能な領域及び両側に設けられる折り畳み不可能な領域を含み、且つ、前記折り畳み可能な領域は互いに平行に分布するタッチ電極及び検出電極を含む。前記表示方法は以下に記載の事項を含み、即ち、フレキシブルディスプレイスクリーンが曲がっていない場合、前記フレキシブルディスプレイスクリーンは全画面で表示して、フレキシブルディスプレイスクリーンが曲がっている場合、両側に設けられた折り畳み不可能な領域の中の少なくとも１つは表示しない。
【００３５】
本願において、本願発明に基づくフレキシブルディスプレイスクリーンを含む表示デバイスは更に提供される。
【００３６】
本願において、フレキシブルタッチスクリーンを製造するための方法が提出されて、前記方法は以下のステップを含み、即ち、互いに交差して分布するタッチ電極及び検出電極を含む折り畳み不可能な第１の領域を作成し、互いに平行に分布するタッチ電極及び検出電極を含み、前記第１の領域に隣接する折り畳み可能な第２の領域を作成する。
【００３７】
本願発明に基づくフレキシブルディスプレイスクリーンは折り畳み可能な領域及び折り畳み不可能な領域に分けられ、且つ、折り畳み可能な領域には互いに平行に分布するタッチ電極及び検出電極が含まれる。従って、本願発明に基づくフレキシブルディスプレイスクリーンは折り畳まれる場合、折り畳み可能な領域が損傷される状況は現れ易くない。且つ、本願発明のフレキシブルディスプレイスクリーンが曲がっている場合、両側に設けられた折り畳み不可能な領域の中の少なくとも１つは表示しないので、電力は更に節約される。
【００３８】
図１はディスプレイスクリーンの積層構造を概要的に示す。
【００３９】
図１に示される通りに、フレキシブルディスプレイスクリーンの積層構造は、例えば、第１の機能層、タッチスクリーン、第２の機能層、ディスプレイスクリーン及び第３の機能層を含んでもよい。
【００４０】
第１の機能層はユーザに面する最上層であり、耐擦傷性、反射防止性又は撥油性の機能を有する保護層であってもよい。第１の機能層はフレキシブルディスプレイスクリーンを傷から保護することができ、反射を低減し、指紋、油汚れなどによって汚染されない。
【００４１】
タッチスクリーンは、タッチ機能を実現するために、第１の機能層の下に位置してもよい。第２の機能層は、タッチスクリーンの下に位置することができ、円偏光子などの反射防止機能を有する層であってもよいし、タッチスクリーンとディスプレイスクリーンを接着する機能を有する接着層であってもよい。
【００４２】
ディスプレイスクリーンは、第２の機能層の下にあってもよく、ＡＭＯＬＥＤ、電子ペーパー又は反射型液晶デバイス及びそのドライバ回路を含んでもよい。
【００４３】
第３の機能層は、最下層の保護層としてディスプレイスクリーンの下に配置してもよい。第３の機能層は支持機能を備えるフィルム材料で作ることができ、又は放熱、静電気防止、電磁妨害及び他の機能を有することができる。
【００４４】
図１に示されたフレキシブルディスプレイスクリーンの例示的な積層構造は、第１〜第３の機能層と各機能層の間に設けられるタッチスクリーン及びディスプレイスクリーンを含むが、本願発明はこれに限定されない。当業者は所望に応じて、フレキシブルディスプレイスクリーンにおいて他の機能を実現するための機能層を設け、又は、各機能層の中の少なくとも１つの実現された機能をタッチスクリーン及び／又はディスプレイスクリーンによって実現させることができる。本願発明の技術案は全ての可能な修正及び変更を包含するものである。
【００４５】
図２は本願の一つの実施例に基づくフレキシブルディスプレイスクリーンの構造を概要的に示す。
【００４６】
図２に示される通り、本願の実施例に基づき、タッチスクリーンは左側の領域、中央の領域及び右側の領域に分けられる。対照的に、ディスプレイスクリーンはタッチスクリーンに対応する左側の領域、中央の領域及び右側の領域に分けられる。ディスプレイスクリーンの左側の領域はタッチスクリーンの左側の領域に対応し、ディスプレイスクリーンの中央の領域はタッチスクリーンの中央の領域に対応し、且つ、ディスプレイスクリーンの右側の領域はタッチスクリーンの右側の領域に対応する。左側の領域及び右側の領域は側部の領域と呼ばれてもよい。
【００４７】
図２におけるタッチスクリーンの左側の領域と右側の領域は第１の領域と呼ばれてもよく、タッチスクリーンの中央の領域は第２の領域と呼ばれてもよい。本願の実施例に基づき、タッチスクリーンの第１の領域は折り畳み不可能な領域であり、タッチスクリーンの第２の領域は折り畳み可能な領域である。
【００４８】
図２において、左側の領域と右側の領域が同じ面積を有するのは例示的に示されたが、本願発明はこれに限定されない。当業者は所望に応じて第１の領域と第２の領域の面積を任意に設けることができる。その他に、図２において、１つの第２の領域を２つの第１の領域の間に設けるのは例示的に示されたが、本願発明はこれに限定されない。当業者は所望に応じて任意数の第１の領域と第２の領域を設けることができる。
【００４９】
図３は本願発明の一つの実施例に基づくフレキシブルタッチスクリーンの第１の領域の構造を概要的に示す。
【００５０】
図３に示される通り、本願発明の一つの実施例に基づくフレキシブルタッチスクリーンの第１の領域は左側の領域と右側の領域を含んでもよい。第１の領域は二層の導電膜を含んでもよい。タッチ電極ＴＸはその中の一つの導電膜の中に位置し、検出電極ＲＸはもう一つの導電膜の中に位置し、且つ、タッチ電極ＴＸと検出電極ＲＸは互いに垂直的に配線される。
【００５１】
具体的に、左側の領域において、タッチ電極Ｌ＿ＴＸ１、Ｌ＿ＴＸ２、Ｌ＿ＴＸ３、Ｌ＿ＴＸ４…と検出電極Ｌ＿ＲＸ１、Ｌ＿ＲＸ２、Ｌ＿ＲＸ３、Ｌ＿ＲＸ４…は互いに垂直に配線される。類似的に、右側の領域において、タッチ電極Ｒ＿ＴＸ１、Ｒ＿ＴＸ２、Ｒ＿ＴＸ３、Ｒ＿ＴＸ４…と検出電極Ｒ＿ＲＸ１、Ｒ＿ＲＸ２、Ｒ＿ＲＸ３、Ｒ＿ＲＸ４…は互いに垂直に配線される。
【００５２】
左側の領域と右側の領域は比較的に独立して設計されてもよい。画面の解像度とタッチの機能要件に応じて、同じサイズまたは異なるサイズの左右の領域を設計してもよい。タッチスクリーンの中の第１の領域を作成するために使用される導電性材料は、ＩＴＯ、銀ナノワイヤ、金属、カーボンナノチューブ、グラフェン等であってもよい。
【００５３】
タッチスクリーンの第１の領域に二層の導電膜が存在するのは１つの例示的な実施例に過ぎなく、本願発明はこれに限定されない。代替的に、タッチスクリーンの第１の領域はブリッジ構造を有する単層の導電膜を用いてもよい。
【００５４】
図４は本願の一つの実施例に基づくフレキシブルタッチスクリーンの第２の領域の構造を概要的に示す。
【００５５】
図４に示される通りに、本願の一つの実施例に基づくフレキシブルタッチスクリーンの第２の領域は単層の導電膜層を含んでもよい。前記単層の導電膜において、互いに平行に分布するタッチ電極及び検出電極は設けられる。
【００５６】
本願の実施例に基づき、第２の領域はタッチスクリーンの中央の領域に位置してもよい。第２の領域はフレキシブルタッチスクリーンの折り畳み可能な領域に位置してもよく、且つ、第２の領域の中のタッチ電極ＴＸと検出電極ＲＸの伸び方向は折り畳み可能な領域の曲げ軸に平行してもよい。
【００５７】
図５は本願の一つの実施例に基づいた折り畳み状態にあるフレキシブルディスプレイスクリーンの断面図を概要的に示す。
【００５８】
図５に示される通り、フレキシブルディスプレイスクリーンは折り畳み状態にあり、折り畳み領域は第２の領域の中に位置する。第２の領域は折り畳み領域よりも少し大きく設定されてもよいし、実際の状況に応じて折り畳み領域と同じかそれ以下に設定されてもよい。且つ、製品の設計によって、フレキシブルディスプレイスクリーンの左側の領域の面積は、右側の領域の面積と同じであっても異なっていてもよい。
【００５９】
図６は本願の一つの実施例に基づくフレキシブルタッチスクリーンの構造を概要的に示す。
【００６０】
図６に示される通り、フレキシブルタッチスクリーンの中央に位置する第２の領域は単層の導電膜層の構造を含む。前記単層の導電膜において、互いに平行に分布するタッチ電極及び検出電極は設けられる。且つ、第２の領域におけるタッチ電極Ｃ＿ＴＸ１、Ｃ＿ＴＸ２と検出電極Ｃ＿ＲＸ１、Ｃ＿ＲＸ２との伸び方向は、フレキシブルタッチスクリーンの折り畳み可能な領域の曲げ軸に平行する。
【００６１】
本願発明に基づくフレキシブルタッチスクリーンにおいて、タッチスクリーンの第２の領域の単層の導電膜の中に設けられたタッチ電極及び検出電極は互いに平行に設けられ、且つ、その伸び方向はフレキシブルタッチスクリーンの折り畳み可能な領域の曲げ軸に平行する。従って、本願発明に基づくフレキシブルディスプレイスクリーンは折り畳まれる場合、折り畳み可能な領域が損傷される状況は現れ易くない。
【００６２】
本願の実施例に基づき、フレキシブルディスプレイスクリーンが曲がっていない場合、フレキシブルディスプレイスクリーンは全画面で表示して、フレキシブルディスプレイスクリーンが曲がっている場合、両側に設けられた折り畳み不可能な領域（即ち、第１の領域）の中の少なくとも１つは表示しない。
【００６３】
一つの実施例では、フレキシブルディスプレイスクリーンが曲がっている場合、両側に設けられた折り畳み不可能な領域の中の１つは表示せず（例えば、右側の領域）、両側に設けられた折り畳み不可能な領域の中のもう一つ（例えば、左側の領域）及び中央部分に設けられる折り畳み可能な領域の表示は保持され、且つ、全画面表示時の全ての表示内容は前記フレキシブルディスプレイスクリーンの表示の保持される部分に改めてマッピングされる。
【００６４】
もう一つの実施例では、フレキシブルディスプレイスクリーンが曲がっている場合、両側に設けられた折り畳み不可能な領域は表示せず、中央部分に設けられる折り畳み可能な領域の表示は保持される。
【００６５】
図７は本願の一つの実施例に基づくフレキシブルディスプレイスクリーンが曲がっている時の作業状態を概要的に示す。
【００６６】
図７に示される通り、左側の領域も右側の領域も表示していない場合は、中央の領域のみが表示する。この場合、左側の領域及び右側の領域のタッチ機能をオフにして、さらなる電力節約を実現することもできる。
【００６７】
その他に、フレキシブルディスプレイスクリーンは折り畳まれていない状態にある場合、第１の領域（例えば、左側の領域及び右側の領域を含む）及び第２の領域（例えば、中央の領域）は各領域内のタッチ点の座標位置を別々に読み取り、それらを制御部（図示せず）にフィードバックする。制御部は、第１の領域及び第２の領域からのタッチ点の座標をディスプレイスクリーン全体の座標系にマッピングすることにより、ディスプレイスクリーン全体のタッチ点の座標位置を形成する。
【００６８】
フレキシブルディスプレイスクリーンが折り畳まれている場合、図７に示された例とは異なり、スクリーンの一部を閉じ、スクリーンの他の部分を表示したままにすることができる。例えば、ディスプレイスクリーンが折り畳まれている場合、左側の領域と中央の領域が表示して、右側の領域は表示しない。このとき、右側の領域のタッチ機能をオフにすることができ、タッチ電極ＴＸ／検出電極ＲＸが走査を停止して、これにより、節電の役割を果たすことができる。このとき、左側の領域及び中央の領域のタッチ点の座標をディスプレイスクリーンに改めてマッピングして対応的なタッチ点の座標位置を求める。あるいは、スクリーンの一部を閉じるときに、ディスプレイスクリーンは拡大縮小されなくてもよい。例えば、左側の領域は主な表示領域として使用され、中央の領域は追加の機能のために独立して制御される中央の表示領域として使用されることができる。例えば、中央の表示領域に時間又はカスタマイズされた情報は表示されることができる。
【００６９】
本願発明のフレキシブルディスプレイスクリーンに基づき、必要に応じて折り畳まれた状態で様々な表示方式は柔軟に実現される。本願発明のフレキシブルディスプレイスクリーンは曲がっている場合、両側に設けられた折り畳み不可能な領域の中の少なくとも１つが表示しないため、電力は更に節約される。
【００７０】
本願発明に基づく各実施例は既に示されて且つ説明されたが、これらの例示的な実施例が形式及び詳細の側面において種々変更されて添付される特許請求の範囲に限定される本願発明の思想及び精神の範囲に背かないことについて当業者は理解すべきである。
【図１】
2020514846.tif 000003
【図２】
2020514846.tif 000004
【図３】
2020514846.tif 000005
【図４】
2020514846.tif 000006
【図５】
2020514846.tif 000007
【図６】
2020514846.tif 000008
【図７】
2020514846.tif 000009
【国際調査報告】
2020514846.tif 000010
2020514846.tif 000011
2020514846.tif 000012
2020514846.tif 000013